Podtech/llm-jp-corpus-v4-ja_patent huggingface dataset:
【手続補正書】
【提出日】平成24年8月29日(2012.8.29)
【手続補正１】
【補正対象書類名】明細書
【補正対象項目名】発明の名称
【補正方法】変更
【補正の内容】
【発明の名称】モータ制御装置、モータ制御装置を用いた圧縮機駆動装置を備えた冷凍機器
【手続補正２】
【補正対象書類名】明細書
【補正対象項目名】０００１
【補正方法】変更
【補正の内容】
【０００１】
本発明は、モータ制御装置、モータ制御装置を用いた圧縮機駆動装置を備えた冷凍機器に関する。
【手続補正３】
【補正対象書類名】特許請求の範囲
【補正対象項目名】全文
【補正方法】変更
【補正の内容】
【特許請求の範囲】
【請求項１】
モータのトルクに係る電気量を演算する演算手段と、電流指令値を入力とする電流制御器と、前記電流制御器の出力を入力とする電圧指令値作成器と、前記電圧指令値作成器の出力に従って永久磁石モータに電圧を印加する電力変換回路とを備えたモータ制御装置において、
位置フィードバック運転モード中にモータのトルクが変化あるいは安定するタイミングをトリガとし、そのトリガに合わせて、変化後のトルクに比例する値を基に、前記演算手段と前記電流制御器のうち少なくとも１つに係る電気量を設定することを特徴するモータ制御装置。
【請求項２】
請求項１において、前記演算手段と前記電流制御器のうち少なくとも１つに係る電気量は電流指令値又は電流指令値に係る値であり、前記モータのトルクに比例する値はｑ軸電流指令値であることを特徴とするモータ制御装置。
【請求項３】
請求項２において、前記ｑ軸電流指令値のリミット処理機能を備え、前記モータのトルク変動が安定するタイミングをトリガとして、前記ｑ軸電流指令値のリミット処理機能のＯＮ／ＯＦＦを切り替えて、
前記ｑ軸電流指令値のリミット値として、前記モータのトルク変動が定常状態となっているときの負荷トルクに相当するｑ軸電流指令値あるいはそれに近い値を用いることを特徴とするモータ制御装置。
【請求項４】
請求項２において、前記ｑ軸電流指令値の加算処理機能を備え、前記モータのトルク変動が安定するタイミングをトリガとして、前記ｑ軸電流指令値の加算処理機能のＯＮ／ＯＦＦを切り替えて、
前記ｑ軸電流指令値の加算値として、ｑ軸検出電流値とｑｃ軸電流加算判定値の差分を用いることを特徴とするモータ制御装置。
【請求項５】
請求項１〜４のいずれかにおいて、前記モータのトルクが変化するタイミングもしくは前記モータのトルク変動が安定するタイミングのトリガとして、
位置フィードバック運転中の負荷を測定あるいは推定してその変化量、前記モータの回転子の速度推定値、インバータ周波数指令値、前記モータの起動あるいは起動途中からの経過時間、前記モータの回転子の実回転位置と仮想回転位置との位置誤差、のいずれかを用いることを特徴とするモータ制御装置。
【請求項６】
請求項１〜５のいずれかに記載のモータ制御装置を用いた圧縮機駆動装置を備えたことを特徴とする冷凍機器。
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
制御ステーションからサブステーションに第１のメッセージを送信し、
前記制御ステーションが、前記サブステーションから送信されるサブステーション識別コードを受信し、
前記制御ステーションから前記サブステーションに第２のメッセージを送信し、
前記制御ステーションが、前記サブステーションから送信される第１の応答メッセージを受信し、
前記制御ステーションから前記サブステーションに、制御ステーション識別コードと実行対象とすべき動作とを含む第３のメッセージを送信し、
前記制御ステーションが、前記サブステーションから送信される第２の応答メッセージを受信する方法。
【請求項２】
サブステーションが、制御ステーションから送信される第１のメッセージを受信し、
前記サブステーションから前記制御ステーションにサブステーション識別コードを送信し、
前記サブステーションが、前記制御ステーションから送信される第２のメッセージを受信し、
前記サブステーションから前記制御ステーションに第１の応答メッセージを送信し、
前記サブステーションが、前記制御ステーションから送信される、制御ステーション識別コードと実行対象とすべき動作とを含む第３のメッセージを受信し、
前記サブステーションに備えられたテーブル手段に、前記制御ステーション識別コードと前記実行対象とすべき動作とを記憶し、
前記サブステーションから前記制御ステーションに第２の応答メッセージを送信する方法。
【請求項３】
前記第１のメッセージは、前記サブステーションに対してバインディングモードへの移行を指示するメッセージであり、
前記第２のメッセージは、前記サブステーションに対するバインディング要求メッセージである、
ことを特徴とする請求項１または請求項２に記載の方法。
【手続補正書】
【提出日】平成24年10月24日(2012.10.24)
【手続補正１】
【補正対象書類名】特許請求の範囲
【補正対象項目名】全文
【補正方法】変更
【補正の内容】
【特許請求の範囲】
【請求項１】
成熟樹状細胞の製造方法であって、
（１）CD11c+未成熟樹状細胞にゲノム複製能を持つセンダイウイルスベクターを接触させる工程、または
（２）CD34+細胞にゲノム複製能を持つセンダイウイルスベクターを接触させ、該細胞をCD11c+未成熟樹状細胞に分化させる工程、を含み、
該センダイウイルスベクターにより該未成熟樹状細胞の成熟化が促進される方法。
【請求項２】
該センダイウイルスベクターを、多重感染度（MOI）を少なくとも１で該細胞に接触させる、請求項１に記載の方法。
【請求項３】
該センダイウイルスが下記（１）から（４）からなる群より選択される、請求項１または２に記載の方法。
（１）実施例Ａの実験２に記載のSeV-GFP、
（２）（１）からGFP遺伝子を除去したウイルス、
（３）（２）に所望の外来遺伝子を導入したウイルス、
（４）（１）〜（３）においてセンダイウイルス遺伝子を欠失および/または変異させたウイルス。
【請求項４】
請求項１から３のいずれかに記載の方法により製造された、該ベクターを保持し該ベクターが発現する成熟樹状細胞。
【請求項５】
請求項２に記載の方法により製造された細胞である、請求項４に記載の細胞。
【請求項６】
請求項３に記載の方法により製造された細胞である、請求項４に記載の細胞。
【請求項７】
請求項４から６のいずれかに記載の樹状細胞を含む、腫瘍増殖抑制剤。
【手続補正書】
【提出日】平成24年9月4日(2012.9.4)
【手続補正１】
【補正対象書類名】特許請求の範囲
【補正対象項目名】全文
【補正方法】変更
【補正の内容】
【特許請求の範囲】
【請求項１】
超合金基材と、
変性白金族金属皮膜であって、該変性白金族金属皮膜が、原子％で表して、５〜３０原子％のＡｌと、１０〜４５原子％のＮｉと、２０原子％以下のＣｒ、Ｃｏ、Ｔａ、Ｗ、Ｒｅ、Ｒｕ、Ｍｏ、Ｎｂ、Ｔｉ及びこれらの組合せからなる群から選択される元素と、２原子％以下のＺｒ、Ｈｆ、Ｙ、希土類元素及びこれらの組合せからなる群から選択される元素と、残部の白金族金属とを含有し、この残部が４０原子％以上８５原子％以下を構成し、白金族金属がＰｔ、Ｒｈ、Ｐｄ及びＩｒからなる群から選択される１種以上の元素からなり、ＮｉとＣｒ、Ｃｏ、Ｔａ、Ｗ、Ｒｅ、Ｒｕ、Ｍｏ、Ｎｂ、Ｔｉ及びこれらの組合せからなる群から選択される元素との合計量が皮膜の５０原子％以下であり、前記皮膜が実質的に面心立方固溶体構造として形成された変性白金族金属皮膜と、
超合金基材と変性白金族皮膜との間に位置する、酸化物系皮膜の拡散障壁層と
を含む物品。
【請求項２】
前記超合金基材の母材がＮｉ、Ｆｅ、Ｃｏ及びこれらの組合せからなる群から選択される、請求項１記載の物品。
【請求項３】
前記超合金基材がＮｉ基超合金基材である、請求項１記載の物品。
【請求項４】
前記Ｚｒ、Ｈｆ、Ｙ、希土類元素及びこれらの組合せからなる群から選択される元素が、セリウム（Ｃｅ）、ランタン（Ｌａ）を含有する、請求項１乃至請求項３のいずれか１項記載の物品。
【請求項５】
さらに、遮熱コーティングを含み、変性白金族金属皮膜が前記超合金基材と遮熱コーティングの間に介在する、請求項１乃至請求項４のいずれか１項記載の物品。
【請求項６】
前記超合金基材が、重量％で、７．５％のＣｏ、７％のＣｒ、６．２％のＡｌ、６．５％のＴａ、５％のＷ、３％のＲｅ、１．５％のＭｏ、０．１５％のＨｆ、０．０５％のＣ、０．００４％のＢ、残部のＮｉ及び不可避的不純物からなる公称組成を有する、請求項１記載の物品。
【請求項７】
前記超合金基材が、重量％で、１２．５％のＣｏ、４．５％のＣｒ、５．７％のＷ、６．１％のＡｌ、７％のＴａ、５．６％のＷ、６．２％のＲｅ、０．９５％のＭｏ、０．１５％のＨｆ、０．０５％のＣ、０．００４％のＢ、残部の本質的にＮｉ及び不可避的不純物からなる公称組成を有し、さらに優れた耐環境性及び耐応力破断性を特徴とする、請求項１記載の物品。
【請求項８】
前記白金族金属皮膜が５〜６０μｍの厚さに形成されている、請求項１乃至請求項７のいずれか１項記載の物品。
【請求項９】
当該物品がガスタービンエンジンの部品である、請求項１乃至請求項８のいずれか１項記載の物品。
【請求項１０】
当該物品がタービンブレードである、請求項９記載の物品。
【誤訳訂正書】
【提出日】平成24年4月6日(2012.4.6)
【誤訳訂正１】
【訂正対象書類名】明細書
【訂正対象項目名】００４１
【訂正方法】変更
【訂正の内容】
【００４１】
本発明に係るプロセスおよび装置におけるポリマーの生産量は、主に、具体的な使用ポリマー、ノズル構造、ならびに、ポリマーの温度および圧力で決まる。ノズル装置１の総ポリマー生産量は、約１kg／ｈｒ／ｍより多く、詳しくは、１から２００ｋｇ／ｈｒ／ｍの範囲であってもよく、より詳しくは１０から２００ｋｇ／ｈｒ／ｍの範囲であり、最も詳しくは２５および７０ｋｇ／ｈｒ／ｍの間の範囲である。オリフィス毎では、ポリマーの生産量が約１グラム／秒／オリフィスより大きくてもよく、詳しくは約５０グラム／秒／オリフィスより大きく、より詳しくは約１０００グラム／秒／オリフィスより大きい。総生産量を上げるために、一度にいくつかの導入用の間隙つまりオリフィスが作動させることもできる。生産量は、圧力、温度、および速度とともに金型のオリフィス出口において測定する。ガスカーテンまたは他の補助的なガス流を使用して、二つ以上のノズルから生じるサブミクロン繊維の噴霧パターンを変えることもできる。このようなガス流またはカーテンは、隣り合うノズル間の噴霧形成の保護に役立つことがあり、また、噴霧パターンを小さくすることに役立つこともある。ガスカーテンまたはガス流は、ウェブの均一性を向上させることもある。
【手続補正書】
【提出日】平成24年4月8日(2012.4.8)
【手続補正１】
【補正対象書類名】特許請求の範囲
【補正対象項目名】全文
【補正方法】変更
【補正の内容】
【特許請求の範囲】
【請求項１】
複数の店舗の電子棚札に商品広告を配信するとともに、
商品に対応した価格を要求し、前記価格を受信し、前記商品に対応した広告コンテンツを要求し、前記広告コンテンツを受信し、前記価格および前記広告コンテンツを表示する前記電子棚札と、
要求に応じて、前記価格を取得し送信する店舗システムと、
要求に応じて、前記広告コンテンツを取得し送信する店舗外システムと、
を備えた電子棚札システムに用いたことを特徴とする店舗外システム。
【請求項２】
複数の店舗の電子棚札に商品広告を配信するとともに、
商品に対応した価格および広告コンテンツを受信し表示する前記電子棚札と、
前記価格を取得し送信するとともに、前記広告コンテンツを要求し、前記広告コンテンツを受信し送信する店舗システムと、
要求に応じて、前記広告コンテンツを取得し送信する店舗外システムと、
を備えた電子棚札システムに用いたことを特徴とする店舗外システム。
【請求項３】
複数の店舗の電子棚札に商品広告を配信するとともに、
商品に対応した価格および広告コンテンツを受信し表示する前記電子棚札と、
前記価格を取得し送信する店舗システムと、
前記広告コンテンツを取得し送信する店舗外システムと、
を備えた電子棚札システムに用いたことを特徴とする店舗外システム。
【請求項４】
複数の店舗の電子棚札に商品広告を配信するとともに、
商品に対応した価格を記憶し、前記商品に対応した広告コンテンツを要求し、前記広告コンテンツを受信し、前記価格および前記広告コンテンツを表示する前記電子棚札と、
要求に応じて、前記価格を取得し送信する店舗システムと、
要求に応じて、前記広告コンテンツを取得し送信する店舗外システムと、
を備えた電子棚札システムに用いたことを特徴とする店舗外システム。
【請求項５】
請求項１ないし請求項４のいずれかに記載の店舗外システムを備えた前記電子棚札システムに用いたことを特徴とする電子棚札。
【請求項６】
請求項１ないし請求項４のいずれかに記載の店舗外システムを備えた前記電子棚札システムに用いたことを特徴とする店舗システム。
【請求項７】
コンピュータにより請求項５に記載の電子棚札を制御したことを特徴とする電子棚札表示用プログラム。
【請求項８】
複数の店舗の電子棚札に商品広告を配信するとともに、
前記電子棚札が商品に対応した価格を要求し、前記価格を受信し、前記商品に対応した広告コンテンツを要求し、前記広告コンテンツを受信し、前記価格および前記広告コンテンツを記憶し表示する過程と、
店舗システムが要求に応じて、前記価格を取得し送信する過程と、
店舗外システムが要求に応じて、前記広告コンテンツを取得し送信する過程と、
を含むことを特徴とする商品広告方法。
【請求項９】
複数の店舗の電子棚札に商品広告を配信するとともに、
前記電子棚札が商品に対応した価格および広告コンテンツを受信し表示する過程と、
店舗システムが前記価格を取得し送信する過程と、
前記店舗システムが前記広告コンテンツを要求し、前記広告コンテンツを受信し送信する過程と、
店舗外システムが要求に応じて、前記広告コンテンツを取得し送信する過程と、
を含むことを特徴とする商品広告方法。
【請求項１０】
複数の店舗の電子棚札に商品広告を配信するとともに、
前記電子棚札が商品に対応した価格および広告コンテンツを受信し表示する過程と、
店舗システムが前記価格を取得し送信する過程と、
店舗外システムが前記広告コンテンツを取得し送信する過程と、
を含むことを特徴とする商品広告方法。
【請求項１１】
複数の店舗の電子棚札に商品広告を配信するとともに、
前記電子棚札が商品に対応した価格を記憶し、前記商品に対応した広告コンテンツを要求し、前記広告コンテンツを受信し、前記価格および前記広告コンテンツを表示する過程と、  
店舗システムが要求に応じて、前記価格を取得し送信する過程と、
店舗外システムが要求に応じて、前記広告コンテンツを取得し送信する過程と、
を含むことを特徴とする商品広告方法。
【手続補正書】
【提出日】平成24年5月15日(2012.5.15)
【手続補正１】
【補正対象書類名】明細書
【補正対象項目名】０００３
【補正方法】変更
【補正の内容】
【０００３】
これらシートの素材として、アルミなどの金属箔シートと、空気を封入した多数の凸部が一側へ突出形成された柔軟なプラスチックシートとが積層された寝袋（特許文献１）、或はポリエチレンやポリプロピレンなどの樹脂発泡体を使用した寝具（特許文献２）などが知られている。
【手続補正２】
【補正対象書類名】明細書
【補正対象項目名】００１３
【補正方法】変更
【補正の内容】
【００１３】
次いで、ポリウレタンフォームシート及びＰＥ発泡シートについて、それぞれのシートと手との間にタフタを挿入させた場合と、それぞれのシートの両側をタフタで挟み込んだ場合の温度上昇を計測した。
結果は次の図２に示すように、空気を含有するシートをタフタのような通気性の少ない布地で覆うことにより空気の流れが遮られ、温度上昇効果はさらに上昇することが判る。
【手続補正３】
【補正対象書類名】明細書
【補正対象項目名】００１７
【補正方法】変更
【補正の内容】
【００１７】
樹脂発泡シート２使用中の、ムレを防ぐために、シート２の厚さ方向に貫通する複数個の通気孔７を設ける。孔の開口率としてマット全体の３〜３０％程度がよい。３０％以上では通気もよくムレは問題ないが保温性が悪くなり、強度的にも弱くなる。また、３％以下では、ムレ感を生じるので、好ましくは開口率５〜１５％が良い。
また、複数のシートをキルト縫着５により積層縫着して一枚のマットとする場合には、それぞれのシートを貫通する孔７の開口率は同じでもよいが必ずしもそれぞれを同一にする必要はない。
また、通気孔７の形状は円形、長円形、矩形など色々あるが特に限定するものではない。例えば、２ｍｍΦ孔を１５ｍｍ等間隔ピッチで穿つ孔を有するシートと、１０ｍｍΦで３０ｍｍ等間隔ピッチで穿たれた孔を有するシートとを積層してもムレ感には支障がない。
【手続補正４】
【補正対象書類名】明細書
【補正対象項目名】００１８
【補正方法】変更
【補正の内容】
【００１８】
速暖性感温シート１を構成する、樹脂発泡シート２、軟質ポリウレタンシート３、繊維わた７、これらを被覆する編織布６は、シート全面に配されるキルトパターンによりキルト縫着５することで、一体化されている。
キルト縫着５するためのミシンの縫い目ピッチは、インチあたり７〜１５ステッチ程度がよい、縫い目ピッチが粗すぎると縫われた糸が引っ張られやすくなり、逆に細かすぎると発泡体シートの針穴が接近しすぎて縫い目破れを生じやすい。
【手続補正５】
【補正対象書類名】明細書
【補正対象項目名】００２２
【補正方法】変更
【補正の内容】
【００２２】
１  速暖性感温シート    
２  樹脂発泡シート
２ｂ  ポリエチレン発泡シート  
３  繊維製断熱シート
３ｂ  シンカーパイル地    
４  積層体  
５  キルト縫着 
６  編織布
７  通気孔
【手続補正書】
【提出日】平成24年9月18日(2012.9.18)
【手続補正１】
【補正対象書類名】明細書
【補正対象項目名】００５１
【補正方法】変更
【補正の内容】
【００５１】
この画像サイズは、Ｘ方向が２１０ｍｍ、Ｙ方向が２９７ｍｍで、３つの描画オブジェクトを含んでいる。尚、符号１２０１で示される矩形領域は、図８の矩形領域と同じ座標位置にある。
【手続補正２】
【補正対象書類名】明細書
【補正対象項目名】００６８
【補正方法】変更
【補正の内容】
【００６８】
次にＳ２５に進み、図１４のラジオボタン１４０２がチェックされていたかどうかを判定する。ここでチェックされていると判定するとＳ２６に進み、Ｓ２４で解析されたジョブチケット情報のうち、倍率の設定項目の設定値を取得する。次にＳ２７に進み、ＣＰＵ３０１は、Ｓ２６で取得した倍率の設定値と、Ｓ２４で解析した倍率の設定値が同じか否かを判断する。それによって、ＣＰＵ３０１は、合成対象の画像データに基づいてシートに印刷される画像と被合成対象の画像データとが一致するか否かを判断する。Ｓ２６で取得した倍率の設定値と、Ｓ２４で解析した倍率の設定値が同じである場合、ＣＰＵ３０１は、Ｓ２７の処理を行わず、次に進む。一方、Ｓ２６で取得した倍率の設定値と、Ｓ２４で解析した倍率の設定値が同じではないと判断した場合、Ｓ２７の処理を行う。Ｓ２７で、ＣＰＵ３０１は、Ｓ２６で取得した倍率値を印刷設定項目に反映する。即ち、この段階で被合成画像の倍率と、合成対象であるデジタル印刷機１０００に保持されている文書データの倍率とが同じになる。一方、Ｓ２５の判定結果が偽（ＮＯ）であれば、合成対象の文書データの倍率の整合処理は不要であるため、この処理を終了する。
【手続補正書】
【提出日】平成24年9月10日(2012.9.10)
【手続補正１】
【補正対象書類名】特許請求の範囲
【補正対象項目名】全文
【補正方法】変更
【補正の内容】
【特許請求の範囲】
【請求項１】
被処理物の第１の面側を研磨するための第１の定盤と、
前記第１の面の裏側である第２の面側を研磨するための第２の定盤とを備え、
前記第１の定盤は、平面視で円環状であり、中心に向かって凸の円錐台状の研磨面を有し、
前記第２の定盤は、平面視で円環状であり、前記第１の定盤とそれぞれの円環の中心が合うように研磨面どうしを重ね合せたときに、前記第１の定盤の前記研磨面と相補的に合致し、中心に向かって凹の円錐台状の研磨面を有することを特徴とする定盤セット。
【請求項２】
前記第１の定盤および前記第２の定盤は、前記研磨面に開放する溝を有している請求項１に記載の定盤セット。
【請求項３】
請求項１または２に記載の定盤セットと、
前記第１の定盤と前記第２の定盤とに挟まれる位置にあり、前記第１の定盤の前記研磨面および前記第２の定盤の前記研磨面に対して相対的に移動する保持部と、
を有することを特徴とする研磨装置。
【請求項４】
厚み方向に反りを有する板状の被処理物の前記厚み方向を研磨する研磨方法であって、
前記反りの方向を測定する測定工程と、
平面視で円環状であり、中心に向かって凸の円錐台状の研磨面を有する第１の定盤と、平面視で円環状であり、前記第１の定盤とそれぞれの円環の中心が合うように研磨面どうしを重ね合せたときに、前記第１の定盤の前記研磨面と相補的に合致し、中心に向かって凹の円錐台状の研磨面を有する第２の定盤とに挟まれるように、前記被処理物の反りの形状が凸になっている側の面を前記第１の定盤の研磨面側になるように前記被処理物を配置する配置工程と、
前記第１の定盤および前記第２の定盤と、前記被処理物とを相対的に移動させることに
より、前記被処理物の前記厚み方向を研磨する研磨工程と、
を含むことを特徴とする研磨方法。
【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
始動条件の成立後、開始条件の成立に基づいて複数種類の図柄情報を変動表示して表示結果を導出表示する可変表示装置を備え、予め決められている当選条件が成立した場合に前記可変表示装置に特定表示結果を導出表示した後、遊技者に利益を付与する利益付与状態に制御する遊技機において、  少なくとも前記当選条件が成立し、かつ前記利益付与状態の終了後に通常よりも遊技者に有利な特別遊技状態に制御する特別条件が成立しないときに成立する演出条件が成立するか否かを前記開始条件の成立以前に判定する演出条件判定手段と、  前記始動条件の成立を示す始動情報を、前記始動条件の成立した順序を特定可能に所定数まで記憶可能な始動情報記憶手段と、  前記開始条件の成立時に前記始動情報記憶手段に記憶される始動情報のうち当該開始条件の成立した始動情報に基づいて前記当選条件が成立するか否かを判定する開始時当落判定手段と、  該開始時当落判定手段により前記当選条件が成立すると判定された場合に前記特別条件が成立するか否かを判定する開始時状態判定手段と、  前記開始時当落判定手段及び前記開始時状態判定手段の判定結果に基づいて前記複数種類の図柄情報の変動表示を開始してから前記表示結果を導出表示するまでの前記可変表示装置の変動態様を決定する変動態様決定手段と、  該変動態様決定手段が決定した前記変動態様に基づいて前記可変表示装置を表示制御し、前記開始時当落判定手段及び前記開始時状態判定手段の判定結果に応じた表示結果を導出表示する表示制御手段と、  前記特別遊技状態中に前記演出条件判定手段によって前記演出条件が成立すると判定された場合に、当該始動条件に応じた前記始動情報の前記開始条件が成立する以前に前記利益付与状態に制御すること及び前記特別遊技状態に制御しないことを示唆する悲観先行演出手段と、  前記特別遊技状態中に前記演出条件判定手段によって前記演出条件が成立しないと判定された場合に、当該始動条件に応じた前記始動情報の前記開始条件が成立する以前に前記利益付与状態に制御すること及び前記特別遊技状態に制御しないことを疑似的に示唆する疑似悲観先行演出手段と、を備えることを特徴とする遊技機。
【請求項２】
遊技盤の前面に形成され、遊技球が打ち込まれる遊技領域と、
該遊技領域に配置される複数種類の入賞口と、を備え、
前記始動条件は、前記複数種類の入賞口のうち始動口への遊技球の入賞を契機として成立することを特徴とする請求項１記載の遊技機。
【請求項３】
遊技者の操作に応じて前記遊技領域に向けて遊技球を打ち込む発射手段を備えることを特徴とする請求項２記載の遊技機。
【手続補正２】
【補正対象書類名】明細書
【補正対象項目名】００１０
【補正方法】変更
【補正の内容】
【００１０】
上記した目的を達成するために、請求項１に係る発明においては、始動条件の成立後、開始条件の成立に基づいて複数種類の図柄情報を変動表示して表示結果を導出表示する可変表示装置を備え、予め決められている当選条件が成立した場合に前記可変表示装置に特定表示結果を導出表示した後、遊技者に利益を付与する利益付与状態に制御する遊技機において、
少なくとも前記当選条件が成立し、かつ前記利益付与状態の終了後に通常よりも遊技者に有利な特別遊技状態に制御する特別条件が成立しないときに成立する演出条件が成立するか否かを前記開始条件の成立以前に判定する演出条件判定手段と、
前記始動条件の成立を示す始動情報を、前記始動条件の成立した順序を特定可能に所定数まで記憶可能な始動情報記憶手段と、
前記開始条件の成立時に前記始動情報記憶手段に記憶される始動情報のうち当該開始条件の成立した始動情報に基づいて前記当選条件が成立するか否かを判定する開始時当落判定手段と、
該開始時当落判定手段により前記当選条件が成立すると判定された場合に前記特別条件が成立するか否かを判定する開始時状態判定手段と、
前記開始時当落判定手段及び前記開始時状態判定手段の判定結果に基づいて前記複数種類の図柄情報の変動表示を開始してから前記表示結果を導出表示するまでの前記可変表示装置の変動態様を決定する変動態様決定手段と、
該変動態様決定手段が決定した前記変動態様に基づいて前記可変表示装置を表示制御し、前記開始時当落判定手段及び前記開始時状態判定手段の判定結果に応じた表示結果を導出表示する表示制御手段と、
前記特別遊技状態中に前記演出条件判定手段によって前記演出条件が成立すると判定された場合に、当該始動条件に応じた前記始動情報の前記開始条件が成立する以前に前記利益付与状態に制御すること及び前記特別遊技状態に制御しないことを示唆する悲観先行演出手段と、
前記特別遊技状態中に前記演出条件判定手段によって前記演出条件が成立しないと判定された場合に、当該始動条件に応じた前記始動情報の前記開始条件が成立する以前に前記利益付与状態に制御すること及び前記特別遊技状態に制御しないことを疑似的に示唆する疑似悲観先行演出手段と、を備えることを特徴とする。
また、請求項２の発明においては、遊技盤の前面に形成され、遊技球が打ち込まれる遊技領域と、
該遊技領域に配置される複数種類の入賞口と、を備え、
前記始動条件は、前記複数種類の入賞口のうち始動口への遊技球の入賞を契機として成立することを特徴とする。
また、請求項３の発明においては、遊技者の操作に応じて前記遊技領域に向けて遊技球を打ち込む発射手段を備えることを特徴とする。
【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
始動条件の成立後、開始条件の成立に基づいて複数種類の図柄情報を変動表示して表示結果を導出表示する可変表示装置を備え、予め決められている当選条件が成立した場合に前記可変表示装置に特定表示結果を導出表示した後、遊技者に利益を付与する利益付与状態に制御する遊技機において、
予め決められた第１数値範囲の当落乱数を更新する当落乱数更新手段と、
予め決められた第２数値範囲の演出乱数を更新する演出乱数更新手段と、
前記始動条件の成立時に前記当落乱数更新手段が更新する前記第１数値範囲の当落乱数のうちいずれかを取得するとともに前記演出乱数更新手段が更新する前記第２数値範囲の演出乱数のうちいずれかを取得する乱数取得手段と、
該乱数取得手段が取得した前記当落乱数に基づいて少なくとも前記当選条件の成立時に成立する演出条件が成立するか否かを前記開始条件の成立以前に判定する演出条件判定手段と、
該演出条件判定手段の判定結果及び前記乱数取得手段が取得した前記演出乱数に基づいて前記複数種類の図柄情報の変動表示を開始してから前記表示結果を導出表示するまでに前記可変表示装置にて実行される演出態様を、前記開始条件の成立以前に特定する入賞時演出特定手段と、
前記乱数取得手段が取得した前記当落乱数及び前記演出乱数を、取得した順序を特定可能に所定数まで記憶可能な乱数記憶手段と、
前記開始条件が成立したとき、前記乱数記憶手段に記憶される前記当落乱数及び前記演出乱数のうち当該開始条件が成立した当落乱数に基づいて前記当選条件が成立するか否かを判定し、前記当選条件が成立すると判定した場合には前記可変表示装置の表示結果を前記特定表示結果に決定する一方、前記当選条件が成立しないと判定した場合には前記可変表示装置の表示結果を前記特定表示結果とは異なる非特定表示結果に決定する開始時当落判定手段と、
前記開始条件が成立したとき、前記開始時当落判定手段の判定結果及び当該開始条件が成立した演出乱数に基づいて前記演出態様を決定する演出態様決定手段と、
該演出態様決定手段が前記演出態様を決定したとき、前記可変表示装置を表示制御して当該演出態様を実行し、前記開始時当落判定手段の判定結果に応じた表示結果を導出表示する表示制御手段と、を備え、
前記演出態様は、前記当選条件の成立期待度に応じて実行される割合が異なるように設定される複数種類の演出態様を有し、
前記入賞時演出特定手段によって前記複数種類の演出態様のうち前記当選条件の成立時に実行される割合が高い特別演出態様に特定された場合に、当該特別演出態様を実行する以前に前記当選条件の成立する割合が高いことを示唆する先行演出を実行する先行演出実行手段をさらに備えることを特徴とする遊技機。
【請求項２】
遊技盤の前面に形成され、遊技球が打ち込まれる遊技領域と、
該遊技領域に配置される複数種類の入賞口と、を備え、
前記始動条件は、前記複数種類の入賞口のうち始動口への遊技球の入賞を契機として成立することを特徴とする請求項１記載の遊技機。
【請求項３】
遊技者の操作に応じて前記遊技領域に向けて遊技球を打ち込む発射手段を備えることを特徴とする請求項２記載の遊技機。
【手続補正２】
【補正対象書類名】明細書
【補正対象項目名】００１０
【補正方法】変更
【補正の内容】
【００１０】
上記した目的を達成するために、請求項１に係る発明においては、始動条件の成立後、開始条件の成立に基づいて複数種類の図柄情報を変動表示して表示結果を導出表示する可変表示装置を備え、予め決められている当選条件が成立した場合に前記可変表示装置に特定表示結果を導出表示した後、遊技者に利益を付与する利益付与状態に制御する遊技機において、
予め決められた第１数値範囲の当落乱数を更新する当落乱数更新手段と、
予め決められた第２数値範囲の演出乱数を更新する演出乱数更新手段と、
前記始動条件の成立時に前記当落乱数更新手段が更新する前記第１数値範囲の当落乱数のうちいずれかを取得するとともに前記演出乱数更新手段が更新する前記第２数値範囲の演出乱数のうちいずれかを取得する乱数取得手段と、
該乱数取得手段が取得した前記当落乱数に基づいて少なくとも前記当選条件の成立時に成立する演出条件が成立するか否かを前記開始条件の成立以前に判定する演出条件判定手段と、
該演出条件判定手段の判定結果及び前記乱数取得手段が取得した前記演出乱数に基づいて前記複数種類の図柄情報の変動表示を開始してから前記表示結果を導出表示するまでに前記可変表示装置にて実行される演出態様を、前記開始条件の成立以前に特定する入賞時演出特定手段と、
前記乱数取得手段が取得した前記当落乱数及び前記演出乱数を、取得した順序を特定可能に所定数まで記憶可能な乱数記憶手段と、
前記開始条件が成立したとき、前記乱数記憶手段に記憶される前記当落乱数及び前記演出乱数のうち当該開始条件が成立した当落乱数に基づいて前記当選条件が成立するか否かを判定し、前記当選条件が成立すると判定した場合には前記可変表示装置の表示結果を前記特定表示結果に決定する一方、前記当選条件が成立しないと判定した場合には前記可変表示装置の表示結果を前記特定表示結果とは異なる非特定表示結果に決定する開始時当落判定手段と、
前記開始条件が成立したとき、前記開始時当落判定手段の判定結果及び当該開始条件が成立した演出乱数に基づいて前記演出態様を決定する演出態様決定手段と、
該演出態様決定手段が前記演出態様を決定したとき、前記可変表示装置を表示制御して当該演出態様を実行し、前記開始時当落判定手段の判定結果に応じた表示結果を導出表示する表示制御手段と、を備え、
前記演出態様は、前記当選条件の成立期待度に応じて実行される割合が異なるように設定される複数種類の演出態様を有し、
前記入賞時演出特定手段によって前記複数種類の演出態様のうち前記当選条件の成立時に実行される割合が高い特別演出態様に特定された場合に、当該特別演出態様を実行する以前に前記当選条件の成立する割合が高いことを示唆する先行演出を実行する先行演出実行手段をさらに備えることを特徴とする。
また、請求項２の発明においては、遊技盤の前面に形成され、遊技球が打ち込まれる遊技領域と、
該遊技領域に配置される複数種類の入賞口と、を備え、
前記始動条件は、前記複数種類の入賞口のうち始動口への遊技球の入賞を契機として成立することを特徴とする。
また、請求項３の発明においては、遊技者の操作に応じて前記遊技領域に向けて遊技球を打ち込む発射手段を備えることを特徴とする。
【手続補正書】
【提出日】平成24年7月13日(2012.7.13)
【手続補正１】
【補正対象書類名】特許請求の範囲
【補正対象項目名】全文
【補正方法】変更
【補正の内容】
【特許請求の範囲】
【請求項１】
油溜めと連通してミシンのフレーム内に形成される第１の密閉室と、フレームに回動可能に支持される主軸と、主軸の回動に連動して作動する第１ポンプと、第１ポンプの作動により油溜めの潤滑油を第１の密閉室に供給するミシンの給油装置において、第１ポンプに連動して作動する第２ポンプが第１ポンプに隣接して配置され、第２ポンプは、潤滑油を収容可能な油収容室と、油収容室に潤滑油を導入する導油孔と、油収容室から潤滑油を排出する噴油孔と、第１ポンプに連動して一端が油収容室に進退するピンとを備え、油収容室で進退するピンによる油収容室の容積変化により、導油孔による潤滑油の導入と、噴油孔による潤滑油の排出を行い、噴油孔より排出した潤滑油を第１の密閉室と区分される第２の密閉室に供給することを特徴とするミシンの給油装置。
【請求項２】
前記第２の密閉室に収容される摺動部材の表面に特殊表面処理が施されていることを特徴とする、請求項１に記載のミシンの給油装置。
【手続補正書】
【提出日】平成24年8月21日(2012.8.21)
【手続補正１】
【補正対象書類名】特許請求の範囲
【補正対象項目名】全文
【補正方法】変更
【補正の内容】
【特許請求の範囲】
【請求項１】
遠位端側小径部と前記遠位端側小径部より外径の大きい近位端側大径部とを有するコアワイヤと、
前記コアワイヤの遠位端側小径部の外周に軸方向に沿って装着され、少なくとも先端部および後端部において、前記コアワイヤに固着されているコイルスプリングとを有する医療用ガイドワイヤであって、
前記コイルスプリングのコイル外径が０．０１２インチ以下であり、
前記コイルスプリングの先端部は、金含有はんだにより、前記コアワイヤに固着され、  金含有はんだによる先端硬直部分の長さが０．１〜０．５ｍｍであることを特徴とする医療用ガイドワイヤ。
【請求項２】
遠位端側小径部と前記遠位端側小径部より外径の大きい近位端側大径部とを有するコアワイヤと、
前記コアワイヤの遠位端側小径部の外周に軸方向に沿って装着され、少なくとも先端部および後端部において、前記コアワイヤに固着されているコイルスプリングとを有する医療用ガイドワイヤであって、
前記コイルスプリングのコイル外径が０．０１２インチ以下であり、
前記コイルスプリングの先端部は、Ａｕ−Ｇｅ系はんだにより、前記コアワイヤに固着され、
Ａｕ−Ｇｅ系はんだによる先端硬直部分の長さが０．１〜０．５ｍｍであることを特徴とする医療用ガイドワイヤ。
【手続補正２】
【補正対象書類名】明細書
【補正対象項目名】００１６
【補正方法】変更
【補正の内容】
【００１６】
本発明の医療用ガイドワイヤは、遠位端側小径部と前記遠位端側小径部より外径の大きい近位端側大径部とを有するコアワイヤと、
前記コアワイヤの遠位端側小径部の外周に軸方向に沿って装着され、少なくとも先端部および後端部において、前記コアワイヤに固着されているコイルスプリングとを有する医療用ガイドワイヤであって、
前記コイルスプリングのコイル外径が０．０１２インチ以下であり、
前記コイルスプリングの先端部は、金含有はんだにより、前記コアワイヤに固着され、  金含有はんだによる先端硬直部分の長さが０．１〜０．５ｍｍであることを特徴とする。
ここに、「金含有はんだ」には、Ａｕ−Ｇｅ系はんだ、Ａｕ−Ｓｉ系はんだ、Ａｕ−Ｉｎ系はんだ、Ａｕ−Ｓｂ系はんだなどのＡｕ合金はんだおよびＡｕはんだが含まれる。
【手続補正３】
【補正対象書類名】明細書
【補正対象項目名】００１７
【補正方法】変更
【補正の内容】
【００１７】
本発明の医療用ガイドワイヤは、遠位端側小径部と前記遠位端側小径部より外径の大きい近位端側大径部とを有するコアワイヤと、
前記コアワイヤの遠位端側小径部の外周に軸方向に沿って装着され、少なくとも先端部および後端部において、前記コアワイヤに固着されているコイルスプリングとを有する医療用ガイドワイヤであって、
前記コイルスプリングのコイル外径が０．０１２インチ以下であり、
前記コイルスプリングの先端部は、Ａｕ−Ｇｅ系はんだにより、前記コアワイヤに固着され、
Ａｕ−Ｇｅ系はんだによる先端硬直部分の長さが０．１〜０．５ｍｍであることを特徴とする。
【手続補正書】
【提出日】平成24年6月13日(2012.6.13)
【手続補正１】
【補正対象書類名】特許請求の範囲
【補正対象項目名】全文
【補正方法】変更
【補正の内容】
【特許請求の範囲】
【請求項１】
（ｉ）配列番号１９のポリペプチド配列をコードするヌクレオチド配列；および
（ｉｉ）配列番号２のポリペプチド配列をコードするヌクレオチド配列
を含む、単離ポリヌクレオチド分子。
【請求項２】
配列番号１９のポリペプチド配列をコードする前記ヌクレオチド配列が、配列番号１８である、請求項１に記載の単離ポリヌクレオチド分子。
【請求項３】
請求項１に記載の単離ポリヌクレオチド分子で形質転換された、宿主細胞。
【請求項４】
前記宿主細胞が、ＮＲＲＬＢ３０３６０として寄託された細胞である、請求項３に記載の宿主細胞。
【請求項５】
（ａ）配列番号１９のアミノ酸配列および配列番号２のアミノ酸配列をコードするヌクレオチドを含むポリヌクレオチド分子を含むベクターでＣｏｒｙｎｅｂａｃｔｅｒｉｕｍ種の宿主細胞を形質転換する工程であって、形質転換後に前記ポリヌクレオチド分子が前記宿主細胞の染色体に組み込まれる工程、および
（ｂ）形質転換された宿主細胞を選択する工程
を含む、形質転換された宿主細胞の選択方法。
【請求項６】
配列番号２のポリペプチド配列をコードする前記ヌクレオチド配列が、配列番号１である、請求項２に記載の単離ポリヌクレオチド分子。
【請求項７】
（ａ）請求項１に記載のポリヌクレオチド分子；
（ｂ）配列番号４のａｓｄアミノ酸配列をコードする核酸分子；
（ｃ）配列番号６のｄａｐＡアミノ酸配列をコードする核酸分子；および
（ｄ）配列番号８のｄａｐＢアミノ酸配列をコードする核酸分子
を含む、単離ポリヌクレオチド分子。
【請求項８】
（ａ）請求項１に記載のポリヌクレオチド分子；
（ｂ）配列番号４のａｓｄアミノ酸配列をコードする核酸分子；
（ｃ）配列番号６のｄａｐＡアミノ酸配列をコードする核酸分子；
（ｄ）配列番号８のｄａｐＢアミノ酸配列をコードする核酸分子；および
（ｅ）配列番号１０のｄｄｈアミノ酸配列をコードする核酸分子
を含む、単離ポリヌクレオチド分子。
【請求項９】
（ａ）請求項１に記載のポリヌクレオチド分子；
（ｂ）配列番号４のａｓｄアミノ酸配列をコードする核酸分子；
（ｃ）配列番号６のｄａｐＡアミノ酸配列をコードする核酸分子；
（ｄ）配列番号８のｄａｐＢアミノ酸配列をコードする核酸分子；
（ｅ）配列番号１０のｄｄｈアミノ酸配列をコードする核酸分子；および
（ｆ）配列番号２１の’ｌｙｓＡアミノ酸配列をコードする核酸分子
を含む、単離ポリヌクレオチド分子。
【請求項１０】
（ａ）請求項２に記載のポリヌクレオチド分子；
（ｂ）配列番号４のａｓｄアミノ酸配列をコードする核酸分子；
（ｃ）配列番号６のｄａｐＡアミノ酸配列をコードする核酸分子；
（ｄ）配列番号８のｄａｐＢアミノ酸配列をコードする核酸分子；
（ｅ）配列番号１０のｄｄｈアミノ酸配列をコードする核酸分子；および
（ｆ）配列番号１４のｌｙｓＡアミノ酸配列をコードする核酸分子
を含む、単離ポリヌクレオチド分子。
【請求項１１】
前記ベクターが、
（ａ）配列番号４のａｓｄアミノ酸配列コードする核酸分子；
（ｂ）配列番号６のｄａｐＡアミノ酸配列をコードする核酸分子；
（ｃ）配列番号８のｄａｐＢアミノ酸配列をコードする核酸分子；
（ｄ）配列番号１０のｄａｐＢアミノ酸配列をコードする核酸分子；
（ｅ）配列番号２１のｄｄｈアミノ酸配列をコードする核酸分子；および
（ｆ）配列番号１４のｌｙｓＡアミノ酸配列をコードする核酸分子
からなる群から選択される少なくとも１つの核酸分子をさらに含む、請求項５に記載の方法。
【請求項１２】
前記ベクターが、
（ａ）配列番号４のａｓｄアミノ酸配列をコードする核酸分子；
（ｂ）配列番号６のｄａｐＡアミノ酸配列をコードする核酸分子；および
（ｃ）配列番号８のｄａｐＢアミノ酸配列をコードする核酸分子
をさらに含む、請求項５に記載の方法。
【請求項１３】
前記ベクターが、
（ａ）配列番号４のａｓｄアミノ酸配列コードする核酸分子；
（ｂ）配列番号６のｄａｐＡアミノ酸配列をコードする核酸分子；
（ｃ）配列番号８のｄａｐＢアミノ酸配列をコードする核酸分子；および
（ｄ）配列番号１０のｄｄｈアミノ酸配列をコードする核酸分子
をさらに含む、請求項５に記載の方法。
【請求項１４】
前記ベクターが、
（ａ）配列番号４のａｓｄアミノ酸配列コードする核酸分子；
（ｂ）配列番号６のｄａｐＡアミノ酸配列をコードする核酸分子；および
（ｃ）配列番号８のｄａｐＢアミノ酸配列をコードする核酸分子
をさらに含む、請求項５に記載の方法。
【請求項１５】
前記ベクターが、
（ａ）配列番号４のａｓｄアミノ酸配列コードする核酸分子；
（ｂ）配列番号６のｄａｐＡアミノ酸配列をコードする核酸分子；
（ｃ）配列番号８のｄａｐＢアミノ酸配列をコードする核酸分子
（ｄ）配列番号１０のｄｄｈアミノ酸配列をコードする核酸分子；および
（ｅ）配列番号１４のｌｙｓＡアミノ酸配列をコードする核酸分子
をさらに含む、請求項５に記載の方法。
【手続補正書】
【提出日】平成24年8月30日(2012.8.30)
【手続補正１】
【補正対象書類名】特許請求の範囲
【補正対象項目名】全文
【補正方法】変更
【補正の内容】
【特許請求の範囲】
【請求項１】
（Ａ）液体を噴出するヘッド部と、
（Ｂ）第１の画像と第２の画像とが隣接して形成される場合に、前記第１の画像と前記第２の画像との境界部分に沿って連続した領域を有する第３の画像を形成するように前記液体を噴出させる制御部と、
を備える印刷装置。
【請求項２】
請求項１に記載の印刷装置であって、
前記第３の画像を形成する液体の明度が、前記第２の画像を形成する液体の明度以上であることを特徴とする印刷装置。
【請求項３】
請求項１または２に記載の印刷装置であって、
前記第３の画像に隣接する画素のうち、前記第２の画像側の画素を間引くことを特徴とする印刷装置。
【手続補正２】
【補正対象書類名】明細書
【補正対象項目名】発明の名称
【補正方法】変更
【補正の内容】
【発明の名称】印刷装置
【手続補正３】
【補正対象書類名】明細書
【補正対象項目名】０００６
【補正方法】変更
【補正の内容】
【０００６】
上記目的を達成するための主たる発明は、（Ａ）インクを噴出するヘッド部と、（Ｂ）第１の画像と第２の画像とが隣接して形成される場合に、前記第１の画像と前記第２の画像との境界部分に沿って連続した領域を有する第３の画像を形成するように前記液体を噴出させる制御部と、を備える印刷装置である。
本発明の他の特徴については、本明細書及び添付図面の記載により明らかにする。
【手続補正書】
【提出日】平成24年7月27日(2012.7.27)
【手続補正１】
【補正対象書類名】特許請求の範囲
【補正対象項目名】全文
【補正方法】変更
【補正の内容】
【特許請求の範囲】
【請求項１】
複数の底刃及び複数の外周刃と、複数のギャッシュ面からなるギャッシュとを有する超硬合金製エンドミルであって、前記複数のギャッシュ面は、底刃のすくい面である第１ギャッシュ面、前記第１ギャッシュ面とは鋭角で交差して続きエンドミルの工具軸の回転中心側に設けられた第２ギャッシュ面、及び前記第１ギャッシュ面とは鈍角で交差して続きエンドミルの外周側かつ前記第２ギャッシュ面よりはエンドミルの後端側に設けられた第３ギャッシュ面から成り、第２ギャッシュ面と第３ギャッシュ面のつなぎ部の長さは、工具回転軸からの距離として工具径の５％以上２０％未満とし、前記複数の外周刃は、エンドミルの軸直角断面視でエンドミル外周面の周方向に隣接する外周刃が不等な分割角度で配置されたことを特徴とする超硬合金製エンドミル。
【請求項２】
複数の外周刃はエンドミルの軸直角断面視で外周面の周方向に隣接する外周刃が不等な分割角度で配置され、前記複数の外周刃の分割角度のうち、最大の外周刃の分割角度は、３６０°を外周刃の数で除した等分割角度に対し、２〜２０％の比率で大きく設けたことを特徴とする請求項１に記載の超硬合金製エンドミル。
【請求項３】
第１ギャッシュ面と第２ギャッシュ面の交差部と工具軸線に直交する平面とのなす角度を第１ギャッシュ角、前記第１ギャッシュ面と第３ギャッシュ面の交差部と工具軸線に直交する平面とのなす角度を第２ギャッシュ角としたとき、第１ギャッシュ角は１５°〜３５°、第２ギャッシュ角は４０°〜６０°であることを特徴とする請求項１または請求項２に記載の超硬合金製エンドミル。
【請求項４】
少なくとも底刃と外周刃には（ＴｉＡｌ）Ｎ系にＳｉを含有させた硬質皮膜が被覆されていることを特徴とする請求項１乃至請求項３のいずれかに記載の超硬合金製エンドミル。
【手続補正２】
【補正対象書類名】明細書
【補正対象項目名】００１９
【補正方法】変更
【補正の内容】
【００１９】
すなわち、第１の本発明のエンドミルは、複数の底刃及び複数の外周刃と、複数のギャッシュ面からなるギャッシュとを有する超硬合金製エンドミルであって、前記複数のギャッシュ面は、底刃のすくい面である第１ギャッシュ面、前記第１ギャッシュ面とは鋭角で交差して続きエンドミルの工具軸の回転中心側に設けられた第２ギャッシュ面、及び前記第１ギャッシュ面とは鈍角で交差して続きエンドミルの外周側かつ前記第２ギャッシュ面よりはエンドミルの後端側に設けられた第３ギャッシュ面から成り、第２ギャッシュ面と第３ギャッシュ面のつなぎ部の長さは、工具回転軸からの距離として工具径の５％以上２０％未満とし、前記複数の外周刃は、エンドミルの軸直角断面視でエンドミル外周面の周方向に隣接する外周刃が不等な分割角度で配置されたことを特徴とする超硬合金製エンドミルである。
【手続補正３】
【補正対象書類名】明細書
【補正対象項目名】００２２
【補正方法】変更
【補正の内容】
【００２２】
削除
【手続補正４】
【補正対象書類名】明細書
【補正対象項目名】００２３
【補正方法】変更
【補正の内容】
【００２３】
また、本発明は、特定の硬質皮膜が被覆されていることにより、さらに特性が向上し、寿命も安定する。すなわち、第５の本発明のエンドミルは、少なくとも複数の底刃と外周刃には（ＴｉＡｌ）Ｎ系にＳｉを含有させた硬質皮膜が被覆されていることを特徴とする第１乃至第３の本発明のいずれかに記載の超硬合金製エンドミルである。
【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
外部接続された装置によりフォントを指定され、記録媒体に文字を記録する記録装置であって、
複数の内蔵フォントとともに、前記記録媒体における１行あたりの指定されたフォントの記録可能桁数、前記記録媒体における行送り量、前記記録媒体の幅、余白量、前記記録媒体における記録可能領域、記録解像度の少なくとも１以上の項目に基づき、前記指定されたフォントを他の内蔵フォントに対応づけるフォント置換情報を有し、
前記外部接続された装置からフォントが指定された場合に、前記フォント置換情報に基づいて、前記指定されたフォントを前記他の内蔵フォントに置き換えること、
を特徴とする記録装置。
【請求項２】
前記記録装置は、前記記録媒体としてロール紙に文字を記録出力するものであること、を特徴とする請求項１に記載の記録装置。
【請求項３】
前記フォント置換情報は、前記記録装置が内蔵していないフォントを内蔵フォントに対応づける情報であること、を特徴とする請求項１に記載の記録装置。
【請求項４】
外部接続された装置によりフォントを指定され、記録媒体に文字を記録する記録装置の制御方法であって、
前記記録媒体における１行あたりの指定されたフォントの記録可能桁数、前記記録媒体における行送り量、前記記録媒体の幅、余白量、前記記録媒体における記録可能領域、記録解像度の少なくとも１以上の項目に基づき、前記指定されたフォントを内蔵フォントに対応づけるフォント置換情報を利用し、前記外部接続された装置からフォントが指定された場合に、前記フォント置換情報に基づいて、前記指定されたフォントを前記内蔵フォントに置き換えること、
を特徴とする記録装置の制御方法。
【請求項５】
外部接続された装置によりフォントが指定され、記録媒体に文字を記録する記録装置を制御するための制御部が実行するプログラムであって、
前記制御部は、前記記録媒体における１行あたりの指定されたフォントの記録可能桁数、前記記録媒体における行送り量、前記記録媒体の幅、余白量、前記記録媒体における記録可能領域、記録解像度の少なくとも１以上の項目に基づき、前記指定されたフォントを内蔵フォントに対応づけるフォント置換情報を利用し、前記外部接続された装置からフォントが指定された場合に、前記フォント置換情報に基づいて、前記指定されたフォントを前記内蔵フォントに置き換えること、
を特徴とするプログラム。
【手続補正２】
【補正対象書類名】明細書
【補正対象項目名】００３０
【補正方法】変更
【補正の内容】
【００３０】
すなわち、交換前のプリンターがフォントＣ（幅９ドット×高さ１７ドット）を印刷すると、１行の印刷可能桁数は、５１２÷９＝５６桁である。プリンター２によって１行に５６桁を印刷するには、フォントＢ（幅１０ドット×高さ２０ドット）が好適である。フォントＡでは桁数が不足し、フォントＣでは字間が大きくなりすぎる。そこで、プリンター２のフォント置換情報２４Ｃにおいて、ホストコンピューター４からのコマンドによりフォントＣが指定された場合に、指定されたフォントＣをフォントＢに置き換えるよう設定する。この場合、フォントＣがＥＥＰＲＯＭ２４に内蔵されているにも関わらず、フォントＣがフォントＢに置換され、印刷される。この場合の印刷結果は、交換前のプリンターでフォントＣで印刷した場合と同じように、１行に５７文字が印刷された結果となる。なお、上述のように、フォント置換情報２４Ｃに、置換先のフォントを使用する場合の字間を、例えばドット数で指定する情報を含んでいてもよい。この場合、より確実に、期待される印刷結果が得られる。